(57)【要約】【課題】映像データ、音声データ、データ放送データの少なくとも１つを個別に記録して再生可能にしたデジタル放送記録装置を提供する。【解決手段】映像データを含む映像パケットと、音声データを含む音声パケットと、データ放送データを含むデータパケットとが多重化されたデジタル放送信号に対する記録処理を行うデジタル放送記録装置は、デジタル放送信号から、映像パケット、音声パケット及びデータパケットのうち少なくとも１つを抽出するパケット抽出部１０１と、抽出されたパケットに含まれる、映像データ、音声データ及びデータ放送データのうち少なくとも１つを個別に記録する記録部１２０と、記録部１２０によって記録された、映像データ、音声データ及びデータ放送データのうち少なくとも１つを個別に読み出す読み出し部１０４とを具備する。【選択図】図２
2011254407.tif 000002
【特許請求の範囲】
【請求項１】
映像データを含む映像パケットと、音声データを含む音声パケットと、データ放送データを含むデータパケットとが多重化されたデジタル放送信号に対する記録処理を行うデジタル放送記録装置であって、
前記デジタル放送信号から、前記映像パケット、前記音声パケット及び前記データパケットのうち少なくとも１つを抽出するパケット抽出部と、
前記パケット抽出部によって抽出されたパケットに含まれる、前記映像データ、前記音声データ及び前記データ放送データのうち少なくとも１つを個別に記録する記録部とを有し、
前記記録部によって記録された、前記映像データ、前記音声データ及び前記データ放送データのうち少なくとも１つを個別に読み出すことができるようにしたことを特徴とするデジタル放送記録装置。
【請求項２】
前記パケット抽出部は、前記デジタル放送信号から前記データパケットを抽出し、
前記記録部は、前記パケット抽出部によって抽出された前記データパケットに含まれる前記データ放送データを記録し、前記記録部によって記録された前記データ放送データを読み出すことができるようにしたことを特徴とする請求項１に記載のデジタル放送記録装置。
【請求項３】
デジタル放送が受信できる状況において前記パケット抽出部及び前記記録部を常時動作させるように制御する動作制御部をさらに具備することを特徴とする請求項２に記載のデジタル放送記録装置。
【請求項４】
前記記録部に新たに記録するデータ放送データと既に記録されているデータ放送データとが一致する場合に、前記新たに記録するデータ放送データ又は前記既に記録されているデータ放送データの何れか一方を削除するように制御する削除制御部をさらに具備することを特徴とする請求項２又は３に記載のデジタル放送記録装置。
【請求項５】
前記パケット抽出部は、前記映像パケット、前記音声パケット及び前記データパケットのうち、ユーザ操作により選択されたデータ種類に対応するパケットを前記デジタル放送信号から抽出することを特徴とする請求項１に記載のデジタル放送記録装置。
【請求項６】
前記パケット抽出部は、前記デジタル放送信号から、前記映像パケット、前記音声パケット及び前記データパケットのそれぞれを抽出し、
前記記録部は、前記映像データ、前記音声データ及び前記データ放送データのそれぞれを個別に記録し、前記記録部によって記録された、前記映像データ、前記音声データ及び前記データ放送データのうち、ユーザ操作により選択された種類のデータを読み出すことができるようにしたことを特徴とする請求項１に記載のデジタル放送記録装置。
【請求項７】
映像データを含む映像パケットと、音声データを含む音声パケットと、データ放送データを含むデータパケットとが多重化されたデジタル放送信号に対する記録処理を行うデジタル放送記録装置に、
前記デジタル放送信号から、前記映像パケット、前記音声パケット及び前記データパケットのうち少なくとも１つを抽出する手順と、
前記抽出する手順によって抽出されたパケットに含まれる、前記映像データ、前記音声データ及び前記データ放送データのうち少なくとも１つを個別に記録する手順と、
前記記録する手順によって記録された、前記映像データ、前記音声データ及び前記データ放送データのうち少なくとも１つを個別に読み出す手順とを実行させることを特徴とする制御プログラム。
【発明の詳細な説明】
【技術分野】
【０００１】
本発明は、デジタル放送信号に対する記録処理を行うデジタル放送記録装置及びその制御プログラムに関する。
【背景技術】
【０００２】
従来、地上デジタル放送等のデジタル放送を受信し、受信したデジタル放送信号に対する記録処理を行うデジタル放送記録装置が広く利用されている。デジタル放送の伝送方式には、複数の番組及び複数種類のデータを多重化して伝送できるＭＰＥＧ２−トランスポート・ストリーム（ＴＳ）方式が採用されている。デジタル放送記録装置は、映像データを含むＴＳパケットである映像パケットと、音声データを含むＴＳパケットである音声パケットと、データ放送データを含むＴＳパケットであるデータパケットとが多重化されたデジタル放送信号に対する記録処理を行う。
【０００３】
このようなデジタル放送記録装置としては、次の構成が提案されている（特許文献１参照）。特許文献１に記載のデジタル放送記録装置は、受信したデジタル放送信号から映像パケット及び音声パケットを抽出し、抽出した映像パケット及び音声パケットを一旦記憶した後に、記憶した映像パケット及び音声パケットからＭＰＥＧ−４（ＭＰ４）データを生成して記録する。
【先行技術文献】
【特許文献】
【０００４】
【特許文献１】特開２００７−１６６５９８号公報
【発明の概要】
【発明が解決しようとする課題】
【０００５】
特許文献１に記載のデジタル放送記録装置には、次のような問題がある。具体的には、特許文献１に記載のデジタル放送記録装置は、映像パケットに含まれる映像データと音声パケットに含まれる音声データとによって構成されるＭＰ４データを記録できるものの、映像データ、音声データ及びデータ放送データのうち少なくとも１つを個別に記録して再生可能にすることができない。このため、再生可能なデータの種類が限定されるケースや、記録容量が少ないケースに対応できないという問題があった。
【０００６】
そこで、本発明は、映像データ、音声データ、データ放送データの少なくとも１つを個別に記録して再生可能にしたデジタル放送記録装置及びその制御プログラムを提供することを目的とする。
【課題を解決するための手段】
【０００７】
上述した課題を解決するために、本発明は以下のような特徴を有している。まず、本発明に係るデジタル放送記録装置の特徴は、映像データを含む映像パケットと、音声データを含む音声パケットと、データ放送データを含むデータパケットとが多重化されたデジタル放送信号に対する記録処理を行うデジタル放送記録装置（例えば、デジタル放送記録再生装置１００Ａ又はデジタル放送記録装置１００Ｂ）であって、前記デジタル放送信号から、前記映像パケット、前記音声パケット及び前記データパケットのうち少なくとも１つを抽出するパケット抽出部（パケット抽出部１０１）と、前記パケット抽出部によって抽出されたパケットに含まれる、前記映像データ、前記音声データ及び前記データ放送データのうち少なくとも１つを個別に記録する記録部（記録部１２０）とを有し、前記記録部によって記録された、前記映像データ、前記音声データ及び前記データ放送データのうち少なくとも１つを個別に読み出すことができるようにしたことを要旨とする。
【０００８】
このような特徴によれば、映像データ、音声データ、データ放送データの少なくとも１つを個別に記録して再生可能にしたデジタル放送記録装置を提供できる。したがって、本デジタル放送記録装置は、再生可能なデータの種類が限定されるケースや、記録容量が少ないケースにも対応できる。
【０００９】
本発明に係るデジタル放送記録装置の他の特徴は、上記の特徴に係るデジタル放送記録装置において、前記パケット抽出部は、前記デジタル放送信号から前記データパケットを抽出し、前記記録部は、前記パケット抽出部によって抽出された前記データパケットに含まれる前記データ放送データを記録し、前記記録部によって記録された前記データ放送データを読み出すことができるようにしたことを要旨とする。
【００１０】
このような特徴によれば、データ放送データを記録しておくことにより、デジタル放送を受信できない状況下でも、記録しておいたデータ放送データを読み出して再生可能になる。特に、データ放送データは、映像データ及び音声データと比較してデータ量が非常に少ないため、データ放送データのみを記録しておくことは、記録容量の少ない機器にとって特に効果的である。
【００１１】
本発明に係るデジタル放送記録装置の他の特徴は、上記の特徴に係るデジタル放送記録装置において、デジタル放送が受信できる状況において前記パケット抽出部及び前記記録部を常時動作させるように制御する動作制御部（制御部１０９）をさらに具備することを要旨とする。
【００１２】
このような特徴によれば、デジタル放送が受信できる状況であればデータ放送データを自動で記録することによって、デジタル放送を受信できない状況下で、自動で記録されたデータ放送データを再生できるようになり、ユーザの利便性を向上させることができる。
【００１３】
本発明に係るデジタル放送記録装置の他の特徴は、上記の特徴に係るデジタル放送記録装置において、前記記録部に新たに記録するデータ放送データと既に記録されているデータ放送データとが一致する場合に、前記新たに記録するデータ放送データ又は前記既に記録されているデータ放送データの何れか一方を削除するように制御する削除制御部（制御部１０９）をさらに具備することを要旨とする。
【００１４】
このような特徴によれば、同一のデータ放送データを複数回受信する場合において、同一のデータ放送データを重複して記録してしまうことを防止でき、記録容量を節約できる。
【００１５】
本発明に係るデジタル放送記録装置の他の特徴は、上記の特徴に係るデジタル放送記録装置において、前記パケット抽出部は、前記映像パケット、前記音声パケット及び前記データパケットのうち、ユーザ操作により選択されたデータ種類に対応するパケットを前記デジタル放送信号から抽出することを要旨とする。
【００１６】
このような特徴によれば、複数種類のデータのうち所望のデータを選択的に記録することが可能になり、記録容量を節約しつつ、再生可能なデータの種類が限定されるケースにも対応可能になる。
【００１７】
本発明に係るデジタル放送記録装置の他の特徴は、上記の特徴に係るデジタル放送記録装置において、前記パケット抽出部は、前記デジタル放送信号から、前記映像パケット、前記音声パケット及び前記データパケットのそれぞれを抽出し、前記記録部は、前記映像データ、前記音声データ及び前記データ放送データのそれぞれを個別に記録し、前記記録部によって記録された、前記映像データ、前記音声データ及び前記データ放送データのうち、ユーザ操作により選択された種類のデータを読み出すことができるようにしたことを要旨とする。
【００１８】
このような特徴によれば、複数種類のデータのうち所望のデータを選択的に読み出すことが可能になり、再生可能なデータの種類が限定されるケースにも対応可能になる。
【００１９】
本発明に係る制御プログラムの特徴は、映像データを含む映像パケットと、音声データを含む音声パケットと、データ放送データを含むデータパケットとが多重化されたデジタル放送信号に対する記録処理を行うデジタル放送記録装置に、前記デジタル放送信号から、前記映像パケット、前記音声パケット及び前記データパケットのうち少なくとも１つを抽出する手順と、前記抽出する手順によって抽出されたパケットに含まれる、前記映像データ、前記音声データ及び前記データ放送データのうち少なくとも１つを個別に記録する手順と、前記記録する手順によって記録された、前記映像データ、前記音声データ及び前記データ放送データのうち少なくとも１つを個別に読み出す手順とを実行させることを要旨とする。
【発明の効果】
【００２０】
本発明によれば、映像データ、音声データ、データ放送データの少なくとも１つを個別に記録して再生可能にしたデジタル放送記録装置及びその制御プログラムを提供できる。
【図面の簡単な説明】
【００２１】
【図１】第１実施形態に係るデジタル放送記録再生装置を含む記録再生システムの全体概略構成図である。
【図２】第１実施形態に係るデジタル放送記録再生装置の構成を示すブロック図である。
【図３】第１実施形態に係るデジタル放送記録再生装置によるパケット抽出処理を説明するための図である。
【図４】第１実施形態に係るデジタル放送記録再生装置による記録処理フローを示すフローチャートである。
【図５】第１実施形態に係るデジタル放送記録再生装置による再生処理フローを示すフローチャートである。
【図６】第２実施形態に係るデジタル放送記録装置を含む記録再生システムの全体概略構成図である。
【図７】第２実施形態に係るデジタル放送記録装置の構成を示すブロック図である。
【図８】第２実施形態に係るデジタル放送記録装置による記録処理フローを示すフローチャートである。
【図９】第２実施形態に係るデジタル放送記録装置による転送処理フローを示すフローチャートである。
【発明を実施するための形態】
【００２２】
図面を参照して、本発明のデジタル放送記録装置の第１実施形態、第２実施形態及びその他の実施形態を説明する。以下の各実施形態における図面において、同一又は類似の部分には同一又は類似の符号を付す。
【００２３】
（１）第１実施形態
以下において、本発明の第１実施形態について、（１．１）全体概略構成、（１．２）デジタル放送記録再生装置の構成、（１．３）デジタル放送記録再生装置の動作、（１．４）第１実施形態の効果の順に説明する。
【００２４】
（１．１）全体概略構成
図１は、第１実施形態に係るデジタル放送記録再生装置１００Ａを含む記録再生システムの全体概略構成図である。
【００２５】
図１に示すように、デジタル放送記録再生装置１００Ａには、地上デジタル放送を受信するチューナ装置１０が接続される。デジタル放送記録再生装置１００Ａとしては、可搬型の機器（例えば、ノートＰＣ）を想定しているが、据置型の機器であってもよい。また、デジタル放送記録再生装置１００Ａは、チューナ装置１０を内蔵していてもよい。チューナ装置１０は、フルセグメント及び／又は１セグメントの地上デジタル放送を受信する。
【００２６】
（１．２）デジタル放送記録再生装置の構成
図２は、デジタル放送記録再生装置１００Ａの構成を示すブロック図である。
【００２７】
図２に示すように、デジタル放送記録再生装置１００Ａは、パケット抽出部１０１、データバッファ部１０２、ハード・ディスク・ドライブ（ＨＤＤ）１０３、読み出し部１０４、再生部１０５、表示部１０６、音声出力部１０７、操作受付部１０８、及び制御部１０９を有する。なお、ＨＤＤ１０３に代えて、ＳＤＤ（Solid State Drive）等の他の記録媒体を使用してもよい。
【００２８】
パケット抽出部１０１には、チューナ装置１０からのデジタル放送信号が入力される。当該デジタル放送信号は、映像データを含む映像パケットと、音声データを含む音声パケットと、データ放送データを含むデータパケットとが多重化されたものである。ここで、映像データ及び音声データのそれぞれは、ＭＰＥＧ方式に従って圧縮符号化されている。データ放送データは、番組に関連した番組情報や、天気情報、ニュース、イベント情報等を含み、例えばブロードキャスト・マークアップ言語（ＢＭＬ）で記述されたものである。
【００２９】
パケット抽出部１０１は、各パケットに付与されるパケット識別子（ＰＩＤ）を検出し、検出したＰＩＤに基づいて、デジタル放送信号から、映像パケット、音声パケット及びデータパケットのうち少なくとも１つを抽出する。第１実施形態においては、パケット抽出部１０１は、地上デジタル放送が受信できる状況においてデータパケットを常時抽出する。
【００３０】
データバッファ部１０２には、パケット抽出部１０１によって抽出されたパケットが入力される。データバッファ部１０２は、パケット抽出部１０１によって抽出されたパケットに含まれる、映像データ、音声データ及びデータ放送データのうち少なくとも１つを一時的に記憶する。例えば、データバッファ部１０２は、１番組分のデータを記憶し、ファイル形式のデータを作成する。データバッファ部１０２としては、例えば揮発性半導体メモリが使用できるが、ＨＤＤ１０３の一部領域をデータバッファ部１０２として使用してもよい。なお、以下において、ファイル形式の映像データを「映像ファイル」と称し、ファイル形式の音声データを「音声ファイル」と称し、ファイル形式のデータ放送データを「データ放送ファイル」と称する。
【００３１】
ＨＤＤ１０３には、データバッファ部１０２によって作成されたファイル形式のデータが入力される。ＨＤＤ１０３は、データバッファ部１０２によって作成されたファイル形式のデータをデータ種別毎に個別に記録する。例えば、ＨＤＤ１０３は、映像に対応する記憶領域と、音声に対応する記憶領域と、データ放送に対応する記憶領域とを有しており、データバッファ部１０２によって作成されたファイル形式のデータを対応する記憶領域に記録する。データバッファ部１０２及びＨＤＤ１０３は、記録部１２０を構成する。
【００３２】
読み出し部１０４は、ＨＤＤ１０３によって記録されたファイル形式のデータをデータ種別毎に個別に読み出す。
【００３３】
再生部１０５には、読み出し部１０４によって読み出されたファイル形式のデータが入力される。再生部１０５は、読み出し部１０４によって読み出されたファイル形式のデータを再生（すなわち、データ復号）する。具体的には、再生部１０５は、映像ファイルが入力された場合には映像ファイルを再生し、音声ファイルが入力された場合には音声ファイルを再生し、データ放送ファイルが入力された場合にはデータ放送ファイルを再生する。
【００３４】
表示部１０６は、再生部１０５が映像ファイルを再生することで得られた映像や、再生部１０５がデータ放送ファイルを再生することで得られたデータ放送を表示する。表示部１０６としては、例えば液晶ディスプレイが使用できる。
【００３５】
音声出力部１０７は、再生部１０５が音声ファイルを再生することで得られた音声を出力するスピーカである。
【００３６】
操作受付部１０８は、ユーザからの操作を受け付け、当該操作を電気信号に変換する。操作受付部１０８としては、例えばキーボード、タッチパッド、ポインティング・デバイス、マウス等が使用できる。表示部１０６としてタッチパネルを使用する場合には、操作受付部１０８を表示部１０６内に設けてもよい。
【００３７】
制御部１０９は、デジタル放送記録再生装置１００Ａに設けられた各ブロックを制御する。制御部１０９としては、例えばＣＰＵが使用できる。制御部１０９には、操作受付部１０８からの電気信号が入力される。制御部１０９は、操作受付部１０８からの電気信号に応じた各種の制御を行う。制御部１０９は、チューナ装置１０を制御可能に構成される。このため、制御部１０９は、チューナ装置１０が受信するチャンネルを指定可能である。
【００３８】
第１実施形態においては、制御部１０９は、地上デジタル放送が受信できる状況において、データ放送を常時記録するようにパケット抽出部１０１及び記録部１２０を制御する。例えば、制御部１０９は、デジタル放送信号がデジタル放送記録再生装置１００Ａに入力されているか否かを判別し、デジタル放送信号がデジタル放送記録再生装置１００Ａに入力されている場合には地上デジタル放送が受信できる状況であるとみなす。なお、デジタル放送信号を受信すべきチャンネルについては、ユーザ操作に応じて設定可能である。
【００３９】
また、第１実施形態においては、制御部１０９は、記録部１２０のＨＤＤ１０３に新たに記録するデータ放送ファイルと既に記録されているデータ放送ファイルとが一致する場合に、新たに記録するデータ放送ファイル又は既に記録されているデータ放送ファイルの何れか一方を削除するように制御する。
【００４０】
（１．３）デジタル放送記録再生装置の動作
次に、第１実施形態に係るデジタル放送記録再生装置１００Ａの動作について、（１．３．１）パケット抽出処理、（１．３．２）記録処理、（１．３．３）再生処理の順に説明する。
【００４１】
（１．３．１）パケット抽出処理
図３は、デジタル放送記録再生装置１００Ａによるパケット抽出処理を説明するための図である。
【００４２】
図３（ａ）に示すように、チューナ装置１０が出力し、デジタル放送記録再生装置１００Ａに入力されるデジタル放送信号は、時間的に連続する多数のＴＳパケットによって構成される。各ＴＳパケットには、ＰＩＤと呼ばれる識別子が付与される。パケット抽出部１０１及び制御部１０９は、プログラム・アソシエーション・テーブル（ＰＡＴ）及びプログラム・マップ・テーブル（ＰＭＴ）に基づいて、各ＴＳパケットにどのようなデータが含まれているかを判別する。
【００４３】
図３（ｂ）に示すように、ＰＡＴは、デジタル放送信号に含まれる番組（プログラム）の一覧を、ＰＭＴを含むＴＳパケットのＰＩＤで示したものである。ＰＡＴを含むＴＳパケットのＰＩＤは特定の値である。ただし、１セグメント受信の場合にはＰＡＴが省略され、ＰＭＴのＰＩＤが特定の値に設定される。
【００４４】
図３（ｂ）及び図３（ｃ）に示すように、ＰＭＴは、ある番組（プログラム）に含まれる映像・音声・データ放送の一覧を、各ＴＳパケットのＰＩＤで示したものである。ＰＭＴから映像・音声・データ放送に対応するＰＩＤを知ることができれば、それらＰＩＤの付されたＴＳパケットを抽出することで、番組（プログラム）を再生できる。
【００４５】
第１実施形態においては、制御部１０９は、地上デジタル放送が受信できる状況において、ＰＭＴに基づき、データ放送に対応する各ＴＳパケットを常時抽出するようにパケット抽出部１０１を制御するとともに、データ放送ファイルを常時記録するように記録部１２０を制御する。
【００４６】
（１．３．２）記録処理
図４は、デジタル放送記録再生装置１００Ａによる記録処理フローを示すフローチャートである。ここでは、データ放送を常時記録する際の記録処理フローを説明する。
【００４７】
ステップＳ１０１において、制御部１０９は、デジタル放送信号からデータパケットを抽出するようにパケット抽出部１０１を制御する。パケット抽出部１０１は、データパケットに対応するＰＩＤが付されたＴＳパケットをデータパケットとして抽出する。
【００４８】
ステップＳ１０２において、制御部１０９は、１番組分のデータ放送データを記憶するようにデータバッファ部１０２を制御する。制御部１０９は、１番組分のデータ放送データの記憶が終了したと判断した場合（ステップＳ１０３；ＹＥＳ）、処理をステップＳ１０４に移す。
【００４９】
ステップＳ１０４において、データバッファ部１０２は、１番組分のデータ放送データによって構成されるデータ放送ファイルを生成する。
【００５０】
ステップＳ１０３において、制御部１０９は、データバッファ部１０２により得られた新たなデータ放送ファイルと、ＨＤＤ１０３に記録済みの各データ放送ファイルとを比較し、一致するか否かを判定する。
【００５１】
制御部１０９は、上記の比較の結果、新たなデータ放送ファイルと一致（略一致も含む）する記録済みのデータ放送ファイルが検出された場合（ステップＳ１０５；ＹＥＳ）には、ステップＳ１０７において当該新たなデータ放送ファイルを削除するようにデータバッファ部１０２を制御する。
【００５２】
また、制御部１０９は、上記の比較の結果、新たなデータ放送ファイルと一致する記録済みのデータ放送ファイルが検出されない場合（ステップＳ１０５；ＮＯ）には、ステップＳ１０６において当該新たなデータ放送ファイルを記録するようにＨＤＤ１０３を制御する。ここで、制御部１０９は、新たなデータ放送ファイルをＨＤＤ１０３に記録（ＨＤＤ更新）した時刻を、当該新たなデータ放送ファイルと共にＨＤＤ１０３に記録しておく。
【００５３】
（１．３．３）再生処理
図５は、デジタル放送記録再生装置１００Ａによる再生処理フローを示すフローチャートである。
【００５４】
ステップＳ１１１において、操作受付部１０８は、ユーザからのデータ放送ファイルの視聴操作を受け付ける。
【００５５】
ステップＳ１１２において、制御部１０９は、操作受付部１０８が受け付けた、データ放送ファイルの視聴操作に応じて、ＨＤＤ１０３に記録されている各データ放送ファイルの一覧を表示するように表示部１０６を制御する。
【００５６】
ステップＳ１１３において、操作受付部１０８は、ユーザからのデータ放送ファイルの選択操作を受け付ける。
【００５７】
ステップＳ１１４において、制御部１０９は、操作受付部１０８が受け付けた、データ放送ファイルの選択操作に応じて、ＨＤＤ１０３に記録されている各データ放送ファイルのうち、選択されたデータ放送ファイルを読み出すように読み出し部１０４を制御する。
【００５８】
ステップＳ１１５において、制御部１０９は、読み出し部１０４によって読み出されたデータ放送ファイルを再生部１０５を制御する。再生部１０５によって再生されたデータ放送ファイルは、表示部１０６によって表示される。
【００５９】
（１．４）第１実施形態の効果
以上説明したように、第１実施形態によれば、データ放送ファイルを常時記録しておくことにより、地上デジタル放送を受信できない状況下（例えば、地上デジタル放送の電波圏外や、チューナ装置１０が接続されていない状況）でも、記録しておいたデータ放送ファイルを読み出して再生可能になる。データ放送ファイルは、映像ファイル及び音声ファイルと比較してデータ量が非常に少ないため、データ放送ファイルのみを記録しておくことは、記録容量の少ない機器にとって特に効果的である。
【００６０】
第１実施形態では、制御部１０９は、新たに記録するデータ放送ファイルと既に記録されているデータ放送ファイルとが一致する場合に、新たに記録するデータ放送ファイルを削除するようにデータバッファ部１０２を制御する。これにより、同一のデータ放送を複数回受信する場合において、同一のデータ放送ファイルを重複して記録してしまうことを防止でき、記録容量を節約できる。
【００６１】
なお、第１実施形態においては、映像復号能力を有する再生部１０５を使用する構成について説明したが、映像復号能力を有しない再生部を使用してもよい。この場合、映像を再生できない機器であっても、データ放送が再生可能であれば、データ放送を視聴することができる。
【００６２】
（２）第２実施形態
以下において、本発明の第２実施形態について、（２．１）全体概略構成、（２．２）デジタル放送記録装置の構成、（２．３）デジタル放送記録装置の動作、（２．４）第２実施形態の効果の順に説明する。第２実施形態においては、第１実施形態と異なる点を主として説明し、重複する説明を省略する。
【００６３】
（２．１）全体概略構成
図６は、第２実施形態に係るデジタル放送記録装置１００Ｂを含む記録再生システムの全体概略構成図である。
【００６４】
図６に示すように、デジタル放送記録装置１００Ｂには、地上デジタル放送を受信するチューナ装置１０と、映像ファイル、音声ファイル及びデータ放送ファイルのうち少なくとも１つを再生可能な可搬型再生装置２０とが接続される。デジタル放送記録再生装置１００Ａとしては、据置型の機器（例えば、デスクトップＰＣやＨＤＤレコーダ等）を想定しているが、可搬型の機器であってもよい。また、デジタル放送記録装置１００Ｂは、チューナ装置１０を内蔵していてもよい。チューナ装置１０は、フルセグメント及び／又は１セグメントのデジタル放送を受信する。可搬型再生装置２０は、例えば、可搬型のオーディオ機器や、携帯電話機等である。
【００６５】
（２．２）デジタル放送記録装置の構成
図７は、デジタル放送記録装置１００Ｂの構成を示すブロック図である。
【００６６】
図７に示すように、デジタル放送記録装置１００Ｂは、第１実施形態で説明した再生部１０５に代えて、転送部１１０を有している。その他の構成については、第１実施形態と同様の構成である。転送部１１０は、読み出し部１０４によって読み出された、映像ファイル、音声ファイル、及びデータ放送ファイルのうち少なくとも１つを可搬型再生装置２０に転送する。
【００６７】
また、第２実施形態においては、パケット抽出部１０１は、映像パケット、音声パケット及びデータパケットのうち、ユーザ操作により選択されたデータ種類に対応するパケットをデジタル放送信号から抽出する。例えば、ユーザが映像記録を選択した場合には、パケット抽出部１０１は、映像パケットをデジタル放送信号から抽出する。ユーザが音声記録を選択した場合には、パケット抽出部１０１は、音声パケットをデジタル放送信号から抽出する。ユーザがデータ放送記録を選択した場合には、パケット抽出部１０１は、データパケットをデジタル放送信号から抽出する。
【００６８】
（２．３）デジタル放送記録装置の動作
次に、第２実施形態に係るデジタル放送記録装置１００Ｂの動作について、（２．３．１）記録処理、（２．３．２）転送処理の順に説明する。
【００６９】
（２．３．１）記録処理
図８は、デジタル放送記録装置１００Ｂによる記録処理フローを示すフローチャートである。
【００７０】
ステップＳ２０１において、操作受付部１０８は、記録すべきデータ種別を選択する操作をユーザから受け付ける。
【００７１】
ステップＳ２０２において、制御部１０９は、ＰＭＴに基づき、ユーザ操作により選択されたデータ種類に対応するパケットをデジタル放送信号から抽出するようにパケット抽出部１０１を制御する。
【００７２】
ステップＳ２０３において、データバッファ部１０２は、パケット抽出部１０１によって抽出されたパケットに含まれるデータをバッファリングする。制御部１０９は、１番組分のデータを記憶するようにデータバッファ部１０２を制御する。制御部１０９は、１番組分のデータの記憶が終了したと判断した場合（ステップＳ２０４；ＹＥＳ）、処理をステップＳ２０５に移す。
【００７３】
ステップＳ２０５において、データバッファ部１０２は、１番組分のデータによって構成されるファイルを生成する。
【００７４】
ステップＳ２０６において、制御部１０９は、データバッファ部１０２によって生成されたファイルを記録するようにＨＤＤ１０３を制御する。
【００７５】
（２．３．２）転送処理
図９は、デジタル放送記録装置１００Ｂによる転送処理フローを示すフローチャートである。
【００７６】
ステップＳ２１１において、操作受付部１０８は、ユーザからのファイル視聴操作を受け付ける。
【００７７】
ステップＳ２１２において、制御部１０９は、操作受付部１０８が受け付けたファイル視聴操作に応じて、ＨＤＤ１０３に記録されている各ファイルの一覧を表示するように表示部１０６を制御する。
【００７８】
ステップＳ２１３において、操作受付部１０８は、ユーザからのファイル選択操作を受け付ける。
【００７９】
ステップＳ２１４において、制御部１０９は、操作受付部１０８が受け付けたファイル選択操作に応じて、ＨＤＤ１０３に記録されている各ファイルのうち、選択されたファイルを読み出すように読み出し部１０４を制御する。転送部１１０は、読み出し部１０４によって読み出されたファイルを可搬型再生装置２０に転送する。
【００８０】
（２．４）第２実施形態の効果
以上説明したように、第２実施形態によれば、パケット抽出部１０１は、映像パケット、音声パケット及びデータパケットのうち、ユーザ操作により選択されたデータ種類に対応するパケットをデジタル放送信号から抽出する。これにより、複数種類のデータのうち所望のデータを選択的に記録することが可能になり、記録容量を節約しつつ、再生可能なデータの種類が限定されるケースにも対応可能になる。例えば、映像を再生不能な可搬型オーディオ機器を可搬型再生装置２０として使用する場合には、音声及びデータ放送の少なくとも一方を記録するといった記録方法が適用できる。このように、使用する再生装置の再生能力に合わせて記録すべきデータを選択できるようになるため、複数の再生装置を使い分けるようなケースにおいて特に効果的である。
【００８１】
（２．５）第２実施形態の変更例
上述した第２実施形態においては、パケット抽出部１０１が、ユーザ操作により選択されたデータ種類に対応するパケットをデジタル放送信号から抽出していた。しかしながら、パケット抽出部１０１が、映像パケット、音声パケット及びデータパケットのそれぞれをデジタル放送信号から抽出し、記録部１２０が、映像ファイル、音声ファイル及びデータ放送ファイルを記録し、読み出し部１０４が、記録された映像ファイル、音声ファイル及びデータ放送ファイルのうち、ユーザ操作により選択されたデータ種類のファイルを読み出すようにしてもよい。
【００８２】
これにより、所望のデータ種類のファイルを選択的に読み出すことが可能になり、再生可能なデータの種類が限定されるケースにも対応可能になる。例えば、映像を再生不能な可搬型オーディオ機器を可搬型再生装置２０として使用する場合には、音声及びデータ放送の少なくとも一方を読み出すといった方法が適用できる。このように、使用する再生装置の再生能力に合わせて読み出すべきデータを選択できるようになるため、複数の再生装置を使い分けるようなケースにおいて特に効果的である。
【００８３】
（３）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００８４】
上述した各実施形態においては、ＭＰＥＧ２−ＴＳ方式が採用されるデジタル放送について説明したが、映像・音声・データ放送が多重化される方式であれば、ＭＰＥＧ２−ＴＳ方式以外の方式に対して本発明を適用可能である。また、上述した各実施形態においては、地上デジタル放送について説明したが、ＢＳデジタル放送等の他のデジタル放送に対して本発明を適用可能である。
【００８５】
なお、上述した各実施形態で説明した各処理・手順は、コンピュータプログラムとして実装し、汎用のＰＣにより実行可能である。
【００８６】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８７】
１０…チューナ装置、２０…可搬型再生装置、１００Ａ…デジタル放送記録再生装置、１００Ｂ…デジタル放送記録装置、１０１…パケット抽出部、１０２…データバッファ部、１０３…ＨＤＤ、１０４…読み出し部、１０５…再生部、１０６…表示部、１０７…音声出力部、１０８…操作受付部、１０９…制御部、１１０…転送部、１２０…記録部
【図１】
2011254407.tif 000003
【図２】
2011254407.tif 000004
【図３】
2011254407.tif 000005
【図４】
2011254407.tif 000006
【図５】
2011254407.tif 000007
【図６】
2011254407.tif 000008
【図７】
2011254407.tif 000009
【図８】
2011254407.tif 000010
【図９】
2011254407.tif 000011